(57)【要約】【課題】静電写真複製機の融着装置内加圧ローラを好適に加熱／除熱可能にする。【解決手段】可回転型の加圧ローラ２１０を円筒形のスリーブ２１２並びにその端部閉止材２３３及び２３５により形成して中空部２２０を設ける一方、高温気流２３２及び低温気流２３４を同時生成する渦管アセンブリ２３０を設け、それらの間を制御手段２６０例えばスリーウェイ制御弁２６４及び２６６でつなぐ。制御手段２６０は、渦管アセンブリ２３０にて生成された高温気流２３２及び低温気流２３４をその別々の端２２２，２２４から加圧ローラ２１０の中空部２２０内に随意に流し込むことによって、加圧ローラ２１０を構成するスリーブ２１２の外面２１６の温度を可変制御する。【選択図】図３
2008146061.tif 000002
【特許請求の範囲】
【請求項１】
（ａ）その内部に中空部が生じるよう円筒形のスリーブの相対向する端部を閉止した構成を採る可回転型の加圧ローラと、
（ｂ）高温気流及び低温気流を同時生成する渦管アセンブリであって加圧ローラの中空部内に連通させうるよう加圧ローラに連結された渦管アセンブリと、
（ｃ）加圧ローラの中空部と渦管アセンブリの間を連結する制御手段であって、渦管アセンブリにて発し加圧ローラの中空部内を通る高温気流及び低温気流を随意に制御することにより、加圧ローラの外面でもあるスリーブの外面の温度を随意に変化させる制御手段と、
を備える温度可変型の加圧ローラアセンブリ。
【請求項２】
（ａ）高温にして使用する可動式のフューザローラと、
（ｂ）温度可変型の加圧ローラアセンブリと、を備え、
その加圧ローラアセンブリが、
（ｉ）その内部に中空部が生じるよう円筒形のスリーブの相対向する端部を閉止した構成を採り更にそのスリーブの外面と高温のフューザローラの外面との間に形成される間隙を以てトナー融着用の間隙とする可回転型の加圧ローラと、
（ｉｉ）高温気流及び低温気流を同時生成する渦管アセンブリであって加圧ローラの中空部内に連通させうるよう加圧ローラに連結された渦管アセンブリと、
（ｉｉｉ）加圧ローラの中空部と渦管アセンブリの間を連結する制御手段であって、渦管アセンブリにて発し加圧ローラの中空部内を通る高温気流及び低温気流を随意に制御することにより、加圧ローラの外面でもあるスリーブの外面の温度を随意に変化させる制御手段と、
を有するトナー融着用の融着装置。
【請求項３】
（ａ）像形成面を提供する可動型の像担持部材と、
（ｂ）その像形成面上に静電潜像を形成する手段と、
（ｃ）像担持部材の移動経路沿いに実装されており像形成面上の静電潜像を現像してトナー像を形成する現像装置と、
（ｄ）トナー像を像形成面から媒体シート上に転写する転写ステーションと、
（ｅ）温度可変型の加圧ローラアセンブリを有する融着装置と、を備え、
その加圧ローラアセンブリが、
（ｉ）その内部に中空部が生じるよう円筒形のスリーブの相対向する端部を閉止した構成を採り更にそのスリーブの外面と高温のフューザローラの外面との間に形成される間隙を以てトナー融着用の間隙とする可回転型の加圧ローラと、
（ｉｉ）高温気流及び低温気流を同時生成する渦管アセンブリであって加圧ローラの中空部内に連通させうるよう加圧ローラに連結された渦管アセンブリと、
（ｉｉｉ）加圧ローラの中空部と渦管アセンブリの間を連結する制御手段であって、渦管アセンブリにて発し加圧ローラの中空部内を通る高温気流及び低温気流を随意に制御することにより、加圧ローラの外面でもあるスリーブの外面の温度を随意に変化させる制御手段と、
を有する静電写真式複製機。
【発明の詳細な説明】
【技術分野】
【０００１】
本発明は、融着装置を備える静電写真式複製機、特にその融着装置で使用する加圧ローラの改良に関する。
【背景技術】
【０００２】
静電写真式複製機の典型例は電子写真式の複写機やプリンタである。それらの装置は、通常、電子写真プロセスを実施するために必要な種々の処理ステーションの他に、それらのステーションを光導電面がエンドレスで巡ることとなるよう配置されたフォトレセプタ（例えば光導電ベルトや光導電ドラム）を有している。多くの場合、この種の複製機は、フォトレセプタの表面たる光導電面を均一に帯電させ、その上に原稿の光像を投射するか或いは原稿に従いその面を光学走査することによりその面上に静電潜像を形成し、形成した潜像とは逆極性に帯電している粉状現像剤（トナー）を用い現像を行うことによって当該潜像に相応するトナー像を形成し、形成したトナー像を光導電面から記録媒体例えば紙へと静電転写し、そしてその媒体を光導電面から剥がして融着装置に送り、その融着装置で融着させることによりその媒体上にそのトナー像を永久固着させる構成を採る。他方、光導電面は、トナー像を媒体に転写した後に清掃し、次の原稿の複製等に使用できる状態にする。こうすることで、同一の光導電面を繰り返し使用することができる。
【０００３】
トナー像を融着により永久固着させる手法としては、未融着のトナー像を担持しているシート状の記録媒体を一対のローラ間に通して加熱及び加圧する、という手法がある。融着装置を構成するそれらのローラのうち少なくとも１個（フューザローラ）は高温にして使用し、媒体シートをフューザローラ及びそれと対向するローラ（加圧ローラ）で加圧する。この処理によってトナーの温度が上がりトナー粒子同士の癒合や粘着性増大が生じる温度に達すると、トナーが幾分流動的になり媒体シート例えば紙の繊維や孔に流れ込む。その後に媒体シートを冷ましてトナーを固化させれば、トナー像はその媒体シートに固く結合した状態になる。
【０００４】
【特許文献１】米国特許第５４６１８６８号明細書
【特許文献２】米国特許第４３９７１５４号明細書
【特許文献３】米国特許第５２４７３３６号明細書
【特許文献４】米国特許第５９９１５６４号明細書
【特許文献５】米国特許第５９１８０８７号明細書
【特許文献６】米国特許第４９７７４３１号明細書
【発明の開示】
【発明が解決しようとする課題】
【０００５】
このように、ドライインク乃至トナーを高温のフューザローラと加圧ローラとにより加熱及び加圧し、例えばその熔融及びプレス接着によってインク乃至トナーを媒体シートの表面に固着させる融着装置においては、フューザローラだけでなく加圧ローラも予め加熱しておく方がよい。そうすれば、フューザローラと加圧ローラの隙間即ち融着間隙（ニップともいう）を通る媒体シートが迅速に昇温するので、融着装置としての立ち上がり時間(time-to-first-print measure)が短くなる。しかしながら、１枚の媒体シートの両面に像を形成する両面複製機においては、まず第１の面にトナー像を融着するため融着間隙に媒体シートを通した後、その裏即ち第２の面にトナー像を融着するためその融着間隙にその媒体シートを再び通すまでの間に、加圧ローラを一旦冷まさなければならない。それは、１回目の挿通で第１の面に融着させたトナー像が２回目の挿通時に過熱してしまい第１の面に画像欠陥が生じることを、避けるためである。従って、融着間隙を出ていく媒体シートがうまく除熱されるように加圧ローラを除熱乃至冷却することができれば、融着時過熱による画像欠陥をより効果的に低減乃至防止することができるであろう。
【０００６】
また、片面複製時においても、加圧ローラ温度を安定化限界温度以下に抑えることができれば、シート全体の平均温度（バルクシート温度）に対する制御をうまく行うことができ、ひいてはストリーク状或いはスポット状のストリーク（縞）といった偽像による画質低下を抑えることが可能になるであろう。更に、バルクシート温度を下げることができれば、複製機内の他の部材に加わる熱負荷も軽減されるであろうし、排紙トレイ上に出てくる媒体シート例えば印刷物をオペレータがより快適に受け取ることもできよう。
【課題を解決するための手段】
【０００７】
ここに、本発明の一実施形態に係る温度可変型の加圧ローラアセンブリは、（ａ）その内部に中空部が生じるよう円筒形のスリーブの相対向する端部を閉止した構成を採る可回転型の加圧ローラと、（ｂ）高温気流及び低温気流を同時生成する渦管アセンブリであって加圧ローラの中空部内に連通させうるよう加圧ローラに連結された渦管アセンブリと、（ｃ）加圧ローラの中空部と渦管アセンブリの間を連結する制御手段であって、渦管アセンブリにて発し加圧ローラの中空部内を通る高温気流及び低温気流を随意に制御することにより、加圧ローラの外面でもあるスリーブの外面の温度を随意に変化させる制御手段と、を備える。
【発明を実施するための最良の形態】
【０００８】
図１に、静電写真式複製機の一例構成８を模式的に示す。本複製機８は、概略、ベルト支持モジュール９０上に像担持部材たる光導電ベルト（フォトレセプタベルト）１０を可動実装した構成を有している。ベルト１０は例えば抗縮裏打層、それを覆う導電性接地層、並びにそれを覆う光導電素材から構成されており、ストリッピングローラ１４、ドライブローラ１６、テンションローラ２０、アイドラローラ２１、バッカローラ２３等に架けられ閉ループ１１を形成している。稼働時には、ベルト１０の表層にある像形成面即ち光導電面１２が矢印方向１３に沿って動き、部分毎に順繰りに、行く手にある種々の処理ステーションを巡っていく。
【０００９】
光導電面１２は、手始めに帯電ステーションＡＡを通過する。このステーションＡＡにはコロナ発生装置２２が設けられており、その装置によってより高い略均一な電位に帯電される。
【００１０】
また、本複製機８には、図中コントローラとして表されているように電子制御サブシステム（ＥＳＳ）２９が設けられている。ＥＳＳ２９は、好ましくはそれ単体で機能しうる専用の小規模コンピュータとして構成する。その種のコンピュータは、ＣＰＵ（central processor unit）、電子的記憶装置、ＵＩ（user interface）例えば表示装置等によって実現することができる。ＥＳＳ２９は、画像データやマシンステータス情報等の読取、撮影、調製、処理等を、各種センサや各種接続を利用して実行する。
【００１１】
同図に示す通り、このＥＳＳ２９は、ＲＩＳ（raster input scanner）２８から供給される画像信号、例えばドキュメントフィーダ２７により送り込まれた原稿の読取結果に係る信号を受け取り信号処理を施すことによって、出力所望画像の連続階調表現又はグレースケール表現たる画像データを生成する。得られた画像データは、露出ステーションＢＢに設けられている変調出力生成器例えばＲＯＳ（raster output scanner）３０に供給される。また、このようにＲＩＳ２８由来の画像信号からの変換で画像データを生成させる他に、コンピュータその他の遠隔装置からＥＳＳ２９に信号乃至データを送って必要な画像データを生成させることもできる。即ち、１台又は複数台のコンピュータにて本複製機８をリモートプリンタとして使用することも、或いは特定の高速コンピュータ専用のプリンタとして本複製機８を使用することも可能である。何れにせよ、ＥＳＳ２９から出力される信号は、本複製機８にて複製すべき連続階調画像に相応する信号乃至データとしてＲＯＳ３０に送られる。
【００１２】
ＲＯＳ３０はレーザ光源及びブロック状回転多面体鏡（九面鏡等）から構成されている。ＲＯＳ３０を稼働させると、光導電ベルト１０のうち露出ステーションＢＢに到来した部分即ち均一帯電済の部分が、その多面体鏡の出射光によって走査される。その分解能は約３００画素／インチ又はそれ以上である（１インチ＝２．５４×１０-2ｍ）。ＲＯＳ３０はＥＳＳ２９から供給された信号乃至データに基づき動作するので、この走査光に対する露出によって、ベルト１０の光導電面１２上には、複製すべき連続階調画像に相応する静電潜像が記録、形成される。なお、こうした構成に代えてＬＥＤ（light emitting diode）のリニアアレイを使用するＲＯＳを用いてもよい。即ち、リニアアレイを形成している個々のＬＥＤを走査線毎に選択的に発光させることにより、光導電面１２のうちの均一帯電部位をラスタバイラスタベースで露光させることができる。
【００１３】
光導電面１２上に形成された静電潜像は光導電ベルト１０の走行に伴って移動し、やがて現像ステーションＣＣを通過する。ここに設けられている現像装置は周知の技術を用い潜像上に乾性トナー粒子を適宜静電吸着させる。図示の例はＣＭＹＫプリンタであるので現像装置が各色当たり１個ずつ合計４個ある。
【００１４】
引き続き同図に示すように、静電潜像の現像によって光導電ベルト１０上に形成されたトナー像は、そのベルト１０の走行に伴い転写ステーションＤＤへと進んでいく。このステーションＤＤにはシート送り装置５０によって媒体シート５４が送り込まれてくる。図示例におけるシート送り装置５０は、媒体スタック５１中で一番上にあるシート５４を捉えて１枚ずつ垂直移送路５６に送り込むＴＣＶＦ（corrugated vacuum feeder）アセンブリ５２を備えている。垂直移送路５６に入ったシート５４は矢印方向４８に沿ってフィードローラ１２０更には位置揃え用移送路１２５に送り込まれて、転写ステーションＤＤに到来する。位置揃え用移送路１２５では、ベルト１０上のトナー像がシート５４上の正しい位置に転写されるよう、このシート送り動作をベルト１０側とタイミングや位置を合わせて実行する。ステーションＤＤには、通常、光導電面１２上のトナー像をシート５４上に吸着させるべく或いはそれを助力すべくシート５４の背面にイオンをスプレーするコロナ発生装置５８や、転写によってトナー像２１３が被着したシート５４をベルト１０からスムーズに剥離させるべくシート５４にイオンをスプレーするコロナ発生装置５９が設けられており、それらを通過したシート５４は引き続き矢印方向６０に送られてプレフューザ移送アセンブリにより捕捉され、そして融着ステーションＦＦに送られる。このステーションＦＦにはシート５４上に転写されたトナー像２１３を融着によってそのシート５４に永久固着させる融着装置（フューザ）７０が設けられている。この装置７０に設けられている温度可変型の加圧ローラアセンブリ２００については後により詳しく説明する。
【００１５】
こうして、転写したトナー像２１３を融着即ち永久固着させたら、ゲート１３４、個別シート反転器８２及びゲート８８を動作させて媒体シート５４の行く先を制御する。まず、片面モードで複製を行っているときには、ゲート１３４に到来するシート５４は複製が済んだシートであるので、ゲート１３４及び８８のポジションを出口１７方向にして、その先にあるフィニッシャやスタッカにそのシート５４を引き渡す（図中破線の経路）。これに対して、両面モードで複製を行っているときには、ゲート１３４に到来するシート５４に、その片面にしか像２１３が形成されていないものと、既にその両面に像２１３が形成されているものとがある。ゲート１３４のポジションは、到来したシート５４が前者即ち片面未複製シートである場合は反転器８２側のポジションになり、そのシート５４は反転器８２に入っていく。反転器８２はそのシート５４を一旦引き込んだ上でゲート８８方向に送り出す。ゲート８８のポジションはこの場合両面転写用迂回路１００側のポジションとして、そのシート５４をその迂回路１００に進入させる（図中実線の経路）。迂回路１００は、例えば、シート５４を転写ステーションＤＤに回送するベルト式の移送路１１０として構成されており、シート５４はその出口にある加速間隙１０２を介してステーションＤＤ更にはその先の融着装置７０に進入していく。反転器８２にて折り返されているので、今回ステーションＤＤ及び融着装置７０にて像２１３が形成されるのは、前回像２１３を形成済の面の裏面になる。ゲート１３４及び８８は、こうしてその両面に像２１３が永久固着されたシート５４が送られてきた場合は出口１７側のポジションを採る。従って、そのシート５４は出口１７を介してフィニッシャやスタッカに送られる。
【００１６】
他方、媒体シート５４が剥がれていった後の光導電面１２には、通常、現像剤たるトナー粒子やシート５４を形成している繊維（例えば紙の繊維）等が、幾分残留し貼り付いていることがある。清掃ステーションＥＥに設けられている清掃装置１５０は、光導電ベルト１０の表面即ち光導電面１２に残留、被着しているそれらの粒子、繊維等を除去する。
【００１７】
次に、図１〜図３を参照して融着装置７０について説明する。これらの図に示すように、融着装置７０は、高温のフューザローラ７２と、本発明の一実施形態に係る温度可変型の加圧ローラアセンブリ２００とを備えている。そのうちフューザローラ７２は、例えば、媒体シート５４及びその上のトナー像２１３と接触する外面７６、その面７６を加熱するヒータ（例えばローラ内から外面７６を加熱する水晶ランプ７１）、面７６を清掃する清掃ローラ７７、剥離剤を蓄蔵しているリザーバ７８、リザーバ７８から汲み上げた剥離剤を面７６のうちシート剥離済の部位に供給するメータリングローラ７９等を有している。他方、加圧ローラアセンブリ２００は、図２及び図３に示すように可回転型の加圧ローラ２１０や渦管アセンブリ２３０から構成されている。加圧ローラ２１０は伝熱素材製の円筒形のスリーブ２１２から構成されており、このスリーブ２１２の内面２１４並びに両端のローラ端部閉止材２２２及び２２４によって、加圧ローラ２１０の内部には図示の通り中空部２２０が形成されている。更に、このスリーブ２１２の外面２１６とフューザローラ７２の外面７６との間には、融着間隙７５が形成されている。この間隙７５には、融着させたいトナー像２１３がフューザローラ７２に接するような向きで、シート５４が挿通される。加圧ローラアセンブリ２００は、間隙７５にてそのトナー像２１３が十分に加熱及び加圧されそのシート５４に永久固着することとなるよう、即ちそれに必要な圧力が間隙７５にてそのシート５４に加わるよう、フューザローラ７２上に装荷されている。
【００１８】
また、温度可変型の加圧ローラアセンブリ２００を構成する部材のうち渦管(vortex tube)アセンブリ２３０は高温気流２３２及び低温気流２３４を同時生成する渦管２３１を含むアセンブリであり、その渦管２３１には図示の通り高温気流流出ポート２３６、低温気流流出ポート２３８及び圧縮空気流入ポート２４０が設けられている。このアセンブリ２００を稼働させる際には、図示しない圧縮空気源を圧縮空気流入ポート２４０につないで渦管２３１内に圧縮空気（加圧空気）２４４を送り込む。その際の圧力は例えば８０ｐｓｉにする（１ｐｓｉ＝６８９５Ｐａ）。
【００１９】
渦管２３１は、一般にＲａｎｑｕｅ−Ｈｉｌｓｃｈの渦管とも称されている装置を工夫し、その内部にある管状の室に圧縮空気２４４を注入できるよう構成したものである。室の内面形状が管状であることや空気２４４が加圧されていることと相俟って、注入された空気２４４は、１００００００ｒｐｍ以上にも達する高い速度で管状室内を回流し始め、やがて二手に分かれていく。その際に一方の気流が他方の気流から分子の運動エネルギを奪うので、管状室内には高温気流２３２と低温気流２３４とが発生する。即ち、上掲の条件下で渦管２３１内に圧縮空気２４４を注入すると、約１００００００ｒｐｍの速度で旋回する渦（旋風）が発生する。この旋風によって追いやられた空気は回転しつつ管状室の中心軸方向に向かい、管状室全体に延びる旋回円柱殻(spinning column)を形成する。旋回円柱殻が生じると、その内部でも旋回が始まるので、管状室の中には、管状室の一方の端に向かって移動する旋回円柱殻と、他方の端に向かっていく別の旋回円柱殻が発生することとなる。その際、内側に存する旋回円柱殻から外側に存する旋回円柱殻へと熱が移動するため、内側に発生する気流は一方の渦管端部閉止材２３３に向かう低温気流２３４となり、外側に発生する気流は他方の渦管端部閉止材２３５に向かう高温気流２３２となる。なお、こうした気流や温度については仔細に制御することができる。
【００２０】
更に、図示例では、渦管２３１と可回転型の加圧ローラ２１０の中空部２２０とを連通させうるよう、前者の閉止材２３３が後者の閉止材２２２に、また閉止材２３５が閉止材２２４にそれぞれ連結されている。この連結連通を実現するため、加圧ローラアセンブリ２００には高温側通気管２５４及び低温側通気管２５６が設けられている。高温側通気管２５４は渦管２３１の高温気流流出ポート２３６と加圧ローラ２１０の中空部２２０とを連結し随意に連通させるための通気管であり、低温側通気管２５６は渦管２３１の低温気流流出ポート２３８と加圧ローラ２１０の中空部２２０とを連結し随意に連通させるための通気管である。これらの通気管２５４及び２５６を介した空気の流れを制御することによって、高温気流２３２及び低温気流２３４を中空部２２０内に随意に通し、加圧ローラ２１０の内面２１４ひいてはその外面２１６を随意に加熱／除熱することができる。
【００２１】
この制御のため、加圧ローラアセンブリ２００には更に制御手段２６０が設けられている。制御手段２６０は、高温気流２３２及び低温気流２３４を中空部２２０内に随意に（例えば選択的に）通すことができるよう、またそれによって加圧ローラ２１０におけるスリーブ温度を随意に制御できるよう、渦管アセンブリ２３０に連結されている。即ち、図示例における制御手段２６０は、高温気流２３２を中空部２２０に通すのかそれともそのまま高温用ベント２６７から排出させるのかを切り替えるため高温側通気管２５４上に設けられた高温側スリーウェイ制御弁２６６と、低温気流２３４を中空部２２０に通すのかそれともそのまま低温用ベント２６８から排出させるのかを切り替えるため低温側通気管２５６上に設けられた低温側スリーウェイ制御弁２６４とを、備えている。これらの弁２６４及び２６６は何れも接続手段２６１を介してＥＳＳ２９に接続されている。ＥＳＳ２９は、スリーブ２１２の外面２１６上に配置されている温度センサ２６２の出力に基づき、渦管アセンブリ２３０の動作や制御手段２６０の動作を制御する。
【００２２】
まとめると、本実施形態においては、高温のフューザローラ７２及び可回転型の加圧ローラ２１０を有する融着装置７０に、加圧ローラ２１０と共に温度可変型の加圧ローラアセンブリ２００を形成するようまた加圧ローラ２１０を適宜加熱／除熱できるよう、渦管２３１を利用したアセンブリ２３０を付加している。また、図示の通り高温気流２３２及び低温気流２３４用に別々の通気管２５４及び２５６並びにスリーウェイ制御弁２６６及び２６４を設けているため、渦管アセンブリ２３０は、加圧ローラ２１０を暖機・予熱する際に使用できるだけでなく、融着装置７０の温度が融着用の設定温度に達した後も、随意の時点で随意に、加圧ローラ２１０を加熱／除熱するのに使用することができる。従って、例えば、第１面の複製が済んだシートの第２面に像２１３を固着させる際に加圧ローラ２１０により第１面の像を除熱して加熱による偽像等を防ぐことや、融着装置７０を通過する媒体シート５４全体の平均即ちバルクシート温度を制御することができる。更に、スリーウェイ制御弁２６６及び２６４によって、高温気流２３２を加圧ローラ２１０に通した後に（２５０）それを低温側ベント２６８から排出させる（２５２）ことや、低温気流２３４を加圧ローラ２１０に通した後に（２５２）それを高温側ベント２６７から排出させる（２５０）こともできる。
【００２３】
以上述べたように、本発明に係る温度可変型の加圧ローラアセンブリは、（ａ）その内部に中空部が生じるよう円筒形のスリーブの相対向する端部を閉止した構成を採る可回転型の加圧ローラと、（ｂ）高温気流及び低温気流を同時生成する渦管アセンブリであって加圧ローラの中空部内に連通させうるよう加圧ローラに連結された渦管アセンブリと、（ｃ）加圧ローラの中空部と渦管アセンブリの間を連結する制御手段であって、渦管アセンブリにて発し加圧ローラの中空部内を通る高温気流及び低温気流を随意に制御することにより、加圧ローラの外面でもあるスリーブの外面の温度を随意に変化させる制御手段と、を備えるものである。
【００２４】
なお、本願出願時における特許請求の範囲（後に補正が施された場合にはその補正後における特許請求の範囲）に包含されるのは、本願中に実施形態として記載した構成だけではない。即ち、本発明の発明者や本願の出願人が今後発想するに至るものも含め、本願記載の構成に対する種々の変形物、代替物、修正物、改良物、均等物、実質均等物等も、本発明の技術的範囲に含まれるものとする。
【図面の簡単な説明】
【００２５】
【図１】本発明の一実施形態に係る温度可変型の加圧ローラアセンブリを備えた融着装置を有する静電写真複製機の模式的立面図である。
【図２】図１に示した融着装置及びその加圧ローラアセンブリの模式的拡大端面図である。
【図３】図２に示した加圧ローラアセンブリの側面図（一部は断面図）である。
【符号の説明】
【００２６】
８  静電写真式複製機、１０  光導電ベルト（フォトレセプタベルト）、１２  光導電面、５４  媒体シート、７０  融着装置（フューザ）、７２  高温フューザローラ、７５  融着間隙、７６  フューザローラ外面、２００  加圧ローラアセンブリ、２１０  加圧ローラ、２１２  スリーブ、２１３  トナー像、２１４  加圧ローラ内面、２１６  加圧ローラ外面、２２０  中空部、２２２，２２４  ローラ端部閉止材、２３０  渦管アセンブリ、２３１  渦管、２３２  高温気流、２３４  低温気流、２６０  制御手段、２６４，２６６  スリーウェイ制御弁、ＢＢ  露出ステーション、ＣＣ  現像ステーション、ＤＤ  転写ステーション、ＦＦ  融着ステーション。
【図１】
2008146061.tif 000003
【図２】
2008146061.tif 000004
【図３】
2008146061.tif 000005